(57)【特許請求の範囲】
【請求項１】
一方の流体管の外面の一部が周方向に沿って外方に膨出する膨出部に形成された受口に、他方の流体管の挿口を水密的に接続する継手体の接続手段であって、
管軸に向かって内方に膨出するとともに前記挿口の外面よりも軟質の突起部が周方向に沿って複数箇所設けられたリング状体であり前記挿口の外面に周方向に沿って固定される挿口固定部材と、一端側に形成された鉤部が前記受口の膨出部と掛止され他端側が前記挿口固定部材と係合されるとともに、前記受口と前記挿口とを管軸方向に相対的に引寄せるラックピニオン構造を有し、管軸に対して略対称に位置する少なくとも２箇所において設けられる引寄せ部材と、から構成されており、
前記引寄せ部材のラックに噛合したピニオンは、前記挿口固定部材の両側部において回動可能に設けられており、
前記受口の外径と略同径の内径を有する略Ｕ字形部材が、前記受口の外面に周方向に沿って前記膨出部の背面と当接して配置されており、
更に前記鉤部が、前記受口の膨出部及び前記略Ｕ字形部材を囲繞可能に略コ字状に形成されており、前記略Ｕ字形部材の両端部を介して、前記膨出部と掛止されることを特徴とする継手体の接続手段。
【請求項２】
前記略Ｕ字形部材の両端部の先端に、前記鉤部を載置する鉤部載置台が突設されていることを特徴とする請求項１に記載の継手体の接続手段。
【発明の詳細な説明】
【技術分野】
【０００１】
本発明は、一方の流体管の受口に他方の流体管の挿口を水密的に接続する継手体の接続手段に関する。
【背景技術】
【０００２】
従来の継手体の接続手段は、挿口の外面に周方向に沿って固定された挿口固定部材と、一端側が受口と掛止され他端側が挿口固定部材と係合されるとともに、受口と挿口とを管軸方向に相対的に引寄せる引寄せ部材と、から構成されている（例えば、特許文献１参照）。
【０００３】
【特許文献１】実公昭５５−３９１９０号公報（第１頁、第６図）
【発明の開示】
【発明が解決しようとする課題】
【０００４】
しかしながら、特許文献１にあっては、受口の外面の一部が、周方向に沿って外方に膨出する膨出部に形成されており、この膨出部よりも延長方向に挿口と離間した受口の所定箇所において、引寄せ部材と受口とを掛止し、受口と挿口とを管軸方向に相対的に引寄せていた。
【０００５】
このような接続手段の構成のために、挿口の外面に固定した挿口固定部材と、受口の膨出部をまたいで設置された上記所定箇所と、の間に架設する引寄せ部材の延長が長くなるため、引寄せ部材の構成が大型化するばかりか、引寄せ方向が管軸方向に定まり難く、引寄せ部材による引寄せ力が確実に伝達されないおそれが生じていた。
【０００６】
本発明は、このような問題点に着目してなされたもので、膨出部の形状に関わらず、引寄せ部材による引寄せ力が管軸方向に確実に受口と挿口とに伝達され、相対的に引寄せることが出来る継手体の接続手段を提供することを目的とする。
【課題を解決するための手段】
【０００７】
上記課題を解決するために、本発明の請求項１に記載の継手体の接続手段は、
一方の流体管の外面の一部が周方向に沿って外方に膨出する膨出部に形成された受口に、他方の流体管の挿口を水密的に接続する継手体の接続手段であって、
管軸に向かって内方に膨出するとともに前記挿口の外面よりも軟質の突起部が周方向に沿って複数箇所設けられたリング状体であり前記挿口の外面に周方向に沿って固定される挿口固定部材と、一端側に形成された鉤部が前記受口の膨出部と掛止され他端側が前記挿口固定部材と係合されるとともに、前記受口と前記挿口とを管軸方向に相対的に引寄せるラックピニオン構造を有し、管軸に対して略対称に位置する少なくとも２箇所において設けられる引寄せ部材と、から構成されており、
前記引寄せ部材のラックに噛合したピニオンは、前記挿口固定部材の両側部において回動可能に設けられており、
前記受口の外径と略同径の内径を有する略Ｕ字形部材が、前記受口の外面に周方向に沿って前記膨出部の背面と当接して配置されており、
更に前記鉤部が、前記受口の膨出部及び前記略Ｕ字形部材を囲繞可能に略コ字状に形成されており、前記略Ｕ字形部材の両端部を介して、前記膨出部と掛止されることを特徴としている。
この特徴によれば、引寄せ部材の鉤部が、受口の膨出部に取付けられた略Ｕ字形部材を介して膨出部と掛止されているため、引寄せ部材の延長を短く構成でき、膨出部の形状に関わらず、引寄せ部材による引寄せ力が略Ｕ字形部材を介して管軸方向に確実に受口と挿口とに伝達され、相対的に引寄せることが出来る。
また、管軸に対して略対称に位置する少なくとも２箇所において構成されている引寄せ部材を用いて、受口と挿口とを管軸方向に対してずれることなく引寄せることが出来る。
また、管軸に対して略対称に位置している引寄せ部材とともに用いる部材が略Ｕ字形部材であって、鉤部と掛止する箇所としてこの略Ｕ字形部材の両端部を利用することで、略Ｕ字形部材を一方向から容易に受口の外面に取付けることが出来る。また、鉤部が、略Ｕ字形部材の全面を利用して、引寄せ力を受口の膨出部に均等に負荷することが出来る。
更に、略コ字状に形成された鉤部を受口の膨出部に囲繞することにより、略コ字状の鉤部を受口の外端側と掛止して、受口と挿口とを相対的に引離すことが可能となる。
また、汎用のラックピニオン構造を利用して、安価に引寄せ部材を構成出来る。
また、挿口の外面よりも軟質の突起部を挿口の外面に当接させて、挿口固定部材を挿口の外面に固定することにより、挿口の外面が固定により傷付き腐食することを防止できる。
【００１０】
本発明の請求項２に記載の継手体の接続手段は、請求項１に記載の継手体の接続手段であって、
前記略Ｕ字形部材の両端部の先端に、前記鉤部を載置する鉤部載置台が突設されていることを特徴としている。
この特徴によれば、略Ｕ字形部材の両端部の先端に突設された鉤部載置台に、引寄せ部材の鉤部を載置することで、受口と挿口とを引寄せる際に鉤部を安定させた状態で掛止できる。
【発明を実施するための最良の形態】
【００１３】
本発明の実施例を以下に説明する。
【実施例】
【００１４】
本発明の実施例を図面に基づいて説明すると、先ず図１は、本発明の実施例における継手体の接続手段の全体像を示す平面図である。図２は、図１と同じく正面図である。図３は、図１と同じく側面図である。図４（ａ）は、略Ｕ字形部材の正面図であり、（ｂ）は、（ａ）のＡ−Ａ断面図である。図５は、受口と挿口とを接続した状況を示す一部断面図である。
【００１５】
図１及び図２に示されるように、本発明における継手体は、一方の流体管としての直管２の受口５と、他方の流体管としての直管１１の挿口１２とを水密的に接続するものである。また流体管の管内は、例えば上下水道やガスなどの流体が流下するようになっている。
【００１６】
また、継手体は、直管２の端部に形成されている受口５と、受口５の内面に挿入される直管１１の端部に形成されている挿口１２と、受口５と挿口１２との固定部材としてのボルト９と、から主に構成されている。また、受口５の外端近傍において、外面の一部が、周方向に沿って外方に膨出する膨出部５ａに形成されている。
【００１７】
また、図５に示されるように、受口５の膨出部５ａの外周面には、周方向に略等間隔おきにボルト孔５ｂが形成されており、直管２の外方から管軸Ｃに対し直交する方向に螺挿される受口５と挿口１２との固定部材としてのボルト９が構成されている。
【００１８】
ボルト９の先方には、固定つめ１０が設けられている。固定つめ１０は、受口５内面に周方向に沿って形成された凹部に収納されている。
【００１９】
次に、図１ないし図３に示されるように、受口５と挿口１２との接続手段について説明すると、本発明における接続手段は、挿口１２の外面に周方向に沿って固定された挿口固定部材１６と、一端側に形成された鉤部１７ａが受口５の膨出部５ａと掛止され他端側が挿口固定部材１６と係合されるとともに、受口５と挿口１２とを管軸Ｃ方向に相対的に引寄せる引寄せ部材１７と、から主に構成されている。
【００２０】
挿口固定部材１６は、挿口１２の外径と略同径の内径を有するリング状体であって、支点部１６ｂを中心として回動可能な分割構造を有しており、ボルトナット１６ｃの締め付けにより挿口の外面に周方向に沿って固定できるように成っている。
【００２１】
挿口固定部材１６の内面に、管軸Ｃに向かって内方に膨出するとともに挿口１２の外面よりも軟質の突起部１６ａが、周方向に沿って複数箇所設けられている。このようにすることで、挿口１２の外面よりも軟質の突起部１６ａを挿口１２の外面に当接させて、挿口固定部材１６を挿口１２の外面に固定することにより、挿口１２の外面が固定により傷付き腐食することを防止できる。
【００２２】
また、引寄せ部材１７は、互いに噛合したラック１７ｂとピニオン１７ｃとからなるラックピニオン構造を有しているとともに、管軸Ｃに対して略対称に位置する２箇所において構成されており、管軸Ｃ方向に配置されたラック１７ｂ、１７ｂの受口５側に、鉤部１７ａ、１７ａが取付けられている。
【００２３】
ピニオン１７ｃ、１７ｃは、挿口固定部材１６の両側部において回動可能に設けられており、夫々のピニオン１７ｃ、１７ｃに噛合したラック１７ｂ、１７ｂは、ピニオン１７ｃ、１７ｃの回動により管軸Ｃ方向に移動可能に係合されている。
【００２４】
更に、鉤部１７ａは、受口５の膨出部５ａを囲繞可能に略コ字状に形成されており、膨出部５ａと当接する掛止部材としての略Ｕ字形部材２０を介して、膨出部５ａと掛止されている。この略Ｕ字形部材２０は、受口５の外径と略同径の内径を有しており、受口５の外面に周方向に沿って膨出部５ａの背面と当接して配置されている。引寄せ部材１７の鉤部１７ａが、略Ｕ字形部材２０の両端部２０ａ、２０ａにおいて掛止されている。
【００２５】
このようにすることで、管軸Ｃに対して略対称に位置している引寄せ部材１７、１７とともに用いる掛止部材が略Ｕ字形部材２０であって、鉤部１７ａと掛止する箇所としてこの略Ｕ字形部材２０の両端部２０ａ、２０ａを利用することで、掛止部材としての略Ｕ字形部材２０を把手部２０ｃにより一方向から容易に受口５の外面に取付けることが出来る。また、鉤部１７ａが、略Ｕ字形部材２０の全面を利用して、引寄せ力を受口５の膨出部５ａに均等に負荷することが出来る。
【００２６】
また、Ｕ字形部材２０の両端部２０ａの先端に、鉤部１７ａを載置する鉤部載置台２０ｂが突設されており、このように略Ｕ字形部材２０の両端部２０ａの先端に突設された鉤部載置台２０ｂに、引寄せ部材１７の鉤部１７ａを載置することで、受口５と挿口１２とを引寄せる際に、鉤部１７ａを安定させた状態で掛止できる。
【００２７】
次に、受口５と挿口１２との接続について説明すると、図３に示されるように、引寄せ部材１７のピニオン１７ｃを回動工具Ｋにて回動操作することにより、ピニオン１７ｃと噛合したラック１７ｂが管軸Ｃ方向（図１及び図２の白抜矢印方向）に移動することにより、略Ｕ字形部材２０を介して鉤部１７ａに掛止された受口５の膨出部５ａに引寄せ力が伝達される。
【００２８】
このように、引寄せ部材１７の鉤部１７ａが、受口５の膨出部５ａに取付けられた略Ｕ字形部材２０を介して膨出部５ａと掛止されているため、引寄せ部材１７のラック１７ｂを短く構成でき、膨出部５ａの形状に関わらず、引寄せ部材１７による引寄せ力が略Ｕ字形部材２０を介して管軸Ｃ方向に確実に受口５と挿口１２とに伝達され、相対的に引寄せることが出来る。
【００２９】
また、管軸Ｃに対して略対称に位置する２箇所において構成されている引寄せ部材１７、１７を用いて、受口５と挿口１２とを管軸Ｃ方向に対してずれることなく引寄せることが出来る。
【００３０】
尚、本発明の引寄せ部材は、本実施例のように管軸Ｃに対して略対称に位置する２箇所において構成されているに限らず、受口５と挿口１２とを管軸Ｃ方向に対してずれることなく引寄せることが出来れば、引寄せ部材は、３箇所以上において構成されていてもよい。
【００３１】
また、引寄せ部材１７が、互いに噛合したラック１７ｂとピニオン１７ｃとからなるラックピニオン構造を有しており、このようにすることで、汎用のラックピニオン構造を利用して、安価に引寄せ部材１７を構成出来る。
【００３２】
上述したように引寄せ部材１７を用いることにより、受口５と挿口１２とが相対的に引寄せられ、挿口１２が、受口５の内方に向かって挿入されるとともに、シール部材８が、挿口１２の外周面により圧縮されて、受口５内面と挿口１２外面との間隙を水密的に密封する（図５参照）。
【００３３】
次に、図５に示されるように、受口５と挿口１２との固定について説明すると、受口５の膨出部５ａに管軸Ｃに対し直交する方向にボルト９が螺挿されており、受口５内面と挿口１２外面との間隙が密封された後において、受口５と挿口１２とを汎用のボルト９で固定的に接続するようになっている。
【００３４】
また、ボルト９の先方に固定つめ１０が設けられていおり、このようにすることで、ボルト９の螺入により固定つめ１０の先端１０ａが、管軸Ｃに向かって押圧されて挿口１２の外周面に食い込み、受口５と挿口１２とを確実に固定的に接続することができる。更に、このように固定的に接続することで、受口５若しくは挿口１２に、外力若しくは内圧が加わった場合でも、継手体の密封性を安定的に維持できる。
【００３５】
尚、本実施例におけるボルトは、必ずしも管軸Ｃに対し直交する方向に形成されている必要はなく、例えば、管軸Ｃに対し直交方向以外の所定角度を有する斜方向に螺入されるように形成されていてもよい。
【００３６】
次に、本実施例における引寄せ部材１７を利用した受口５と挿口１２との引離しについて説明すると、上述したように受口５と挿口１２とが水密的に接続された状態において、同様に挿口固定部材１６及び引寄せ部材１７を設置する。略コ字状に形成された引寄せ部材１７の鉤部１７ａを、受口５の膨出部に囲繞する。
【００３７】
略コ字状に形成された鉤部１７ａを受口５の膨出部５ａに囲繞することにより、引寄せ部材１７のピニオン１７ｃを上述と逆方向に回動し、ピニオン１７ｃと噛合したラック１７ｂが上述と逆方向に移動するとともに、略コ字状の鉤部１７ａを受口５の外端側に掛止して、受口５と挿口１２とを相対的に引離す力が伝達され、水密的に接続された受口５と挿口１２とを相対的に引離すことが可能となる。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、上記実施例では、互いに接続される挿口１２及び受口５は、図１及び図２に示されるような直管２及び直管１１からなる管路部材を構成しているが、本発明に用いられる挿口１２及び受口５は、互いに接続可能な構成を有していれば、必ずしも直管２及び直管１１に限らず、例えば端部を３箇所有するＴ字管や、管軸に沿って一部に曲部を有するエルボ管でもよいし、可撓性を有するホース等であってもよい。また、挿口１２及び受口５は、各種ポンプ若しくは貯留タンクの一部を構成するものであっても構わない。
【００４０】
また、上記実施例では、受口５の膨出部５ａの外周面にボルト孔５ｂが形成されており、ボルト孔５ｂに螺挿される固定部材としてのボルト９が構成されているが、膨出部は、受口５の外端近傍において、外面の一部が周方向に沿って外方に膨出し、掛止部材が掛止されていれば、特にボルト孔５ｂが形成されていなくてもよく、例えば膨出部がフランジであってもよい。
【図面の簡単な説明】
【００４４】
【図１】本発明の実施例における継手体の接続手段の全体像を示す平面図である。
【図２】図１と同じく正面図である。
【図３】図１と同じく側面図である。
【図４】（ａ）は、略Ｕ字形部材の正面図であり、（ｂ）は、（ａ）のＡ−Ａ断面図である。
【図５】受口と挿口とを接続した状況を示す一部断面図である。
【符号の説明】
【００４５】
２                直管（流体管）
５                受口
５ａ              膨出部
５ｂ              ボルト孔
８                シール部材
９                ボルト
１０              固定つめ
１０ａ            先端
１１              直管（流体管）
１２              挿口
１６              挿口固定部材
１６ａ            突起部
１６ｂ            支点部
１６ｃ            ボルトナット
１７              引寄せ部材
１７ａ            鉤部
１７ｂ            ラック
１７ｃ            ピニオン
２０              略Ｕ字形部材
２０ａ            両端部
２０ｂ            鉤部載置台
２０ｃ            把手部
Ｃ                管軸
Ｋ                回動工具
【図１】
0004785575.tif 000002
【図２】
0004785575.tif 000003
【図３】
0004785575.tif 000004
【図４】
0004785575.tif 000005
【図５】
0004785575.tif 000006